【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
車いす（１０）のシート（２０）であって、
車いすに座っている個人の座骨を支持するための、折り畳み可能な前ウェブ部と、折り畳み可能な後ウェブ部と、を備えており、
前記シート（２０）を加熱することなく、車いすを利用している個人の尻を暖かくすることが可能な、換気口を、有している穿孔された材料で、作られており、
前記ウェブが、向かい合った前端縁及び後端縁と、向かい合った側縁と、を構成していることを特徴とするシート（２０）。
【請求項２】
前記後ウェブ部が、前記座骨の下の圧力を逃がすために、前記前ウェブ部の可撓性と比較して、５〜５０％程度、例えば、５〜４０％、５〜３０％、好ましくは、５〜２５％、又は、２５〜５０％、又は、５〜１０％、１０〜１５％、１５〜２０％、２０〜２５％、２５〜３０％、３０〜３５％、３５〜４０％、４０〜４５％、又は、４５〜５０％だけ、高い可撓性を示している、請求項１記載のシート（２０）。
【請求項３】
前記シートが、更に、１対のケーシング（２８）を備えており、
当該１対のケーシング（２８）は、シートが、前記車いす（１０）のフレームの１対の側管（１５）のそれぞれを、前記１対のケーシング内で受け取ることを可能としている、請求項１又は２に記載のシート（２０）。
【請求項４】
前記個人の尻の対応する部分を支持するための、自由な又は固定された１対のクッション（２２、２４）を、更に、備えており、
前記クッション（２２、２４）は、その前縁によって、シートに対して再配置可能である、前記いずれかの請求項に記載のシート（２０）。
【請求項５】
前記自由な又は固定された１対のクッションが、Ｌ形状であり、且つ、互いに鏡像である、前記いずれかの請求項に記載のシート（２０）。
【請求項６】
前記自由な又は固定された１対のクッションが、水不浸透性で好ましくは洗浄可能な材料である外部カバーを、有している、前記いずれかの請求項に記載のシート（２０）。
【請求項７】
前記自由な又は固定された１対のクッションが、協動するバリ形固定手段、又は、永久的な又は非永久的な、結合剤又は接着剤のような、協動する拘束手段を用いて再配置可能である、前記いずれかの請求項に記載のシート（２０）。
【請求項８】
前記ウェブ部が、撥水性材料のメッシュによって構成されている、前記いずれかの請求項に記載のシート（２０）。
【請求項９】
前記メッシュが、前記バリ形固定手段の一部を構成している、請求項８記載のシート（２０）。
【請求項１０】
車いす（１０）の背もたれ（３０）であって、
背もたれ（３０）を加熱することなく、車いす（１０）を利用している個人の背中を暖かくすることが可能な、換気口を、有している穿孔された材料で、作られた折り畳み可能なウェブを備えており、
前記ウェブが、向かい合った上端縁及び底端縁と、背もたれ（３０）の向かい合った側縁と、を構成していることを特徴とする背もたれ（３０）。
【請求項１１】
前記背もたれ（３０）が、更に、個人の腰を支持するためのガードル又はバンド（３４）を、備えており、
ガードル又はバンド（３４）が、向かい合った側縁の間でウェブの上部に設けられている、請求項１０記載の背もたれ（３０）。
【請求項１２】
前記ガードル又はバンド（３４）が、前記向かい合った側縁に沿って設けられた１組の管（１７）の間で背もたれ（３０）を更に固定するように適用されている、請求項１１記載の背もたれ（３０）。
【請求項１３】
前記個人の背中の対応する部分を支持するための、自由な又は固定された１対のクッション（３２）を、更に備えており、
１対のクッション（３２）が、ウェブに対して再配置可能である、請求項１０乃至１２のいずれかに記載の背もたれ（３０）。
【請求項１４】
前記自由な又は固定された１対のクッションが、互いに鏡像である、請求項１０乃至１３のいずれかに記載の背もたれ（３０）。
【請求項１５】
前記自由な又は固定された１対のクッションが、水非浸透性で好ましくは洗浄可能な材料である外部カバーを、有している、請求項１０乃至１４のいずれかに記載の背もたれ（３０）。
【請求項１６】
前記自由な又は固定された１対のクッションが、バリ形固定手段、又は、永久的な又は非永久的な、結合剤又は接着剤のような、協動する拘束手段を用いて再配置可能である、請求項１０乃至１５のいずれかに記載の背もたれ（３０）。
【請求項１７】
前記ウェブが、撥水性材料のメッシュによって構成されている、請求項１０乃至１６のいずれかに記載の背もたれ（３０）。
【請求項１８】
前記メッシュが、バリ形固定手段の一部を構成している、請求項１７記載の背もたれ（３０）。
【請求項１９】
車いす（１０）であって、
折り畳み可能なフレームと、
１対の車輪（４４、４５）及び１対の補助車輪（４０、４１）と、
車いす（１０）を利用する個人がその中に位置付けられる、シート（２０）及び背もたれ（３０）と、を備えており、
前記１対の車輪が、車いす（１０）を立たせ且つ動かすことができるように、フレームに取り付けられており、
前記シート（２０）及び背もたれ（３０）が、前記フレームに固定されている、前記いずれかの請求項に記載の車いす（１０）。
【手続補正２】
【補正対象書類名】図面
【補正対象項目名】図１
【補正方法】変更
【補正の内容】
【図１】
2007160117.tif 000001
【手続補正３】
【補正対象書類名】図面
【補正対象項目名】図２
【補正方法】変更
【補正の内容】
【図２】
2007160117.tif 000002
【手続補正４】
【補正対象書類名】図面
【補正対象項目名】図３
【補正方法】変更
【補正の内容】
【図３】
2007160117.tif 000003
【手続補正５】
【補正対象書類名】図面
【補正対象項目名】図４ａ
【補正方法】変更
【補正の内容】
【図４ａ】
2007160117.tif 000004
【手続補正６】
【補正対象書類名】図面
【補正対象項目名】図４ｂ
【補正方法】変更
【補正の内容】
【図４ｂ】
2007160117.tif 000005
【手続補正７】
【補正対象書類名】図面
【補正対象項目名】図５ａ
【補正方法】変更
【補正の内容】
【図５ａ】
2007160117.tif 000006
【手続補正８】
【補正対象書類名】図面
【補正対象項目名】図５ｂ
【補正方法】変更
【補正の内容】
【図５ｂ】
2007160117.tif 000007
【手続補正９】
【補正対象書類名】図面
【補正対象項目名】図５ｃ
【補正方法】変更
【補正の内容】
【図５ｃ】
2007160117.tif 000008
【手続補正１０】
【補正対象書類名】図面
【補正対象項目名】図６
【補正方法】変更
【補正の内容】
【図６】
2007160117.tif 000009
【手続補正１１】
【補正対象書類名】図面
【補正対象項目名】図７
【補正方法】変更
【補正の内容】
【図７】
2007160117.tif 000010
【手続補正１２】
【補正対象書類名】図面
【補正対象項目名】図８
【補正方法】変更
【補正の内容】
【図８】
2007160117.tif 000011
【手続補正１３】
【補正対象書類名】図面
【補正対象項目名】図９
【補正方法】変更
【補正の内容】
【図９】
2007160117.tif 000012
【手続補正１４】
【補正対象書類名】図面
【補正対象項目名】図１０
【補正方法】変更
【補正の内容】
【図１０】
2007160117.tif 000013
【手続補正１５】
【補正対象書類名】図面
【補正対象項目名】図１１
【補正方法】変更
【補正の内容】
【図１１】
2007160117.tif 000014
【手続補正１６】
【補正対象書類名】図面
【補正対象項目名】図１２
【補正方法】変更
【補正の内容】
【図１２】
2007160117.tif 000015
【手続補正１７】
【補正対象書類名】図面
【補正対象項目名】図１３
【補正方法】変更
【補正の内容】
【図１３】
2007160117.tif 000016
【手続補正１８】
【補正対象書類名】図面
【補正対象項目名】図１４
【補正方法】変更
【補正の内容】
【図１４】
2007160117.tif 000017
【手続補正１９】
【補正対象書類名】図面
【補正対象項目名】図１５
【補正方法】変更
【補正の内容】
【図１５】
2007160117.tif 000018